(57)【特許請求の範囲】
【請求項１】
マルチフレーム周期の第１のフレームの列と第２のフレームの列とを多重する方法であって、前記第１のフレームは当該第１のフレームの先頭を示す第１の同期パタンを含み、前記第２のフレームは当該第２のフレームの先頭を示す第２の同期パタンを含み、前記第１の同期パタンおよび前記第２の同期パタンは共通の固定パタンであり、前記方法は、
前記第２の同期パタン内の配列を入れ替えるステップと、
前記第１のフレームの列のマルチフレーム周期と前記第２のフレームの列のマルチフレーム周期とを非同期で、前記第１のフレームおよび前記第２のフレームを所定バイト単位にＬａｎｅ分配するステップと、
を含むことを特徴とするフレーム多重方法。
【請求項２】
前記Ｌａｎｅ分配するステップは、
前記第１のフレームの先頭を基準として、前記第１のフレームを前記所定バイト単位にＬａｎｅ分配することと、
前記第１のフレームの先頭を基準として、前記第２のフレームを前記所定バイト単位にＬａｎｅ分配することと
を含むことを特徴とする請求項１に記載のフレーム多重方法。
【請求項３】
前記第１のフレームおよび前記第２のフレームは、ＯＴＵ４フレームがマッピングされたフレームであることを特徴とする請求項１または２に記載のフレーム多重方法。
【請求項４】
第１の同期パタンおよび前記第２の同期パタンは、ＯＴＵ４フレームにおけるフレーム・アライメント信号（ＦＡＳ）パタンと同一のパタンであるであることを特徴とする請求項１乃至３のいずれかに記載のフレーム多重方法。
【発明の詳細な説明】
【技術分野】
【０００１】
本発明は、フレーム多重方法に関し、より詳細には、クライアント信号がマッピングされた複数のフレームを効率的に多重するフレーム多重方法に関する。
【背景技術】
【０００２】
従来、光伝送システムの大容量化することが可能なＷＤＭ（波長分割多重）技術の研究開発が行われている。また、ＷＤＭ技術と同様に光伝送システムを大容量化することが可能な技術として、コヒーレント通信技術も研究開発も盛んに行われている。光伝送システムの大容量化と平行して、ＬＡＮ等で通信されるクライアントデータのビットレートも大容量化している。今日では、大容量化したクライアントデータ（例えば、１００Ｇｂｐs）を光伝送システムのライン信号に直接収容して伝送したいというニーズも高まっており、これを実現すべく研究も盛んに行われている（例えば、特許文献１参照）。特に、大容量化した光伝送システムに効率よくクライアント信号を収容したり、コヒーレント通信技術を実現したりするためには、ＬＳＩ等の光伝送システム集積回路が不可欠である。
【０００３】
図４は、複数サブキャリアを用いてクライアントデータを伝送する光伝送システム集積回路（ＬＳＩ）の概略構成図である。図４の光伝送システムＬＳＩ（１０）は、送信用と受信用に１００Ｇｂｐｓ高速Ｉ／Ｆ（１２，２２）をそれぞれ１つずつ備える。これらの１００Ｇｂｐｓ高速Ｉ／Ｆを介して、クライアントの機器（例えば、ルータ）と光伝送システムＬＳＩ（１０）との間で１００Ｇｂｐｓのクライアント信号の入出力が行われる。
【０００４】
図４において、光変調器／光源１５０は、光源とＩＱ変調器の組を２つ構え、ＩＱ変調器からの出力を偏波多重して伝送路へ出力する。受光器１８０は、光ファイバ伝送路から入射する光（対向する光変調器／光源で偏波多重された伝送路を伝播した光）を光電変換して出力する。
【０００５】
１００Ｇ用シンボルマッピング部１４は、１００Ｇｂｐｓ高速Ｉ／Ｆ（１２）から入力された１００Ｇｂｐｓのクライアント信号を１００Ｇｂｐｓの光伝送用の伝送フレーム（例えば、ＯＴＵ４フレーム（１１２Ｇｂｐｓ））に収容し、クライアント信号が２ビット毎にマッピングされる（割り当てられる）ＱＰＳＫ変調のシンボルを決定し、決定したシンボルに相当する振幅と位相（角度）を出力する。各偏波に２ビットが割り当てられるので、１００Ｇ用シンボルマッピング部１４におけるシンボルレートは、２５Ｇｓｐｓ（シンボル／秒）である。
【０００６】
デジタルコヒーレント信号処理部１６は、１００Ｇ用シンボルマッピング部１４からのシンボルに基づき、変調器／光源１５０へ供給される変調信号を生成して出力する。
【０００７】
デジタルコヒーレント信号処理部２６は、受光器１８０からの信号に基づいて、歪補償、クロック抽出、位相推定、及びシンボル識別などのデジタル信号処理を行い、識別されたシンボルを出力する。
【０００８】
１００Ｇ用シンボルデマッピング部２４は、デジタルコヒーレント信号処理部２６から出力されたシンボルをデマッピングしてビット値を出力する（シンボルに割り当てられたビット値を決定して出力する）。詳細には、１００Ｇ用シンボルデマッピング部２４において、デマッピングされたビット値は、光伝送用の伝送フレーム（上記例では、ＯＴＵ４フレーム）を構成するビット値であり、伝送フレーム内のクライアント信号に相当するビット値が出力される。
【０００９】
１００Ｇｂｐｓ高速Ｉ／Ｆ（２２）は、１００Ｇ用シンボルデマッピング部２４からのビット値を、光伝送システムＬＳＩ（２２）の外に受信したクライアント信号として出力するために用いられる。
【００１０】
光伝送システムのライン信号のビットレートは、光ファイバ伝送路における伝送特性や変調方式に起因して決定される。例えば、光ファイバ伝送路における伝送特性が良好な場合には、ＱＰＳＫまたは１６ＱＡＭなどの変調方式を用いることで、ライン信号のビットレートを１００Ｇｂｐｓまたは２００Ｇｂｐｓにすることができる。したがって、より高いビットレートのライン信号で通信できる場合には、より多くのクライアント信号を１つのライン信号に収容して（多重して）伝送したいというニーズが存在する。光伝送システムのライン信号のビットレートが２００Ｇｂｐｓである場合には、１００ＧＥｔｈｅｒｎｅｔ（登録商標）のクライアント信号を収容したＯＴＵ４のフレームを２つ多重して送受信することでシステム効率を高めることができる。
【先行技術文献】
【特許文献】
【００１１】
【特許文献１】特許第４３３９３４５号公報
【発明の概要】
【発明が解決しようとする課題】
【００１２】
一般的に、大容量化したクライアントデータ（例えば、１００ＧＥｔｈｅｒｎｅｔ（登録商標））は、Ｌａｎｅ分配された複数のデータブロックの列として１００Ｇｂｐｓ高速Ｉ／Ｆに入出力される。Ｌａｎｅ分配されたデータは、例えば、Ｌａｎｅ間のスキュー調整（タイミング調整）のためバッファリングされ、送信側のクライアントの機器から送出される前のクライアントデータが再現された後に、伝送フレームへのマッピング処理が行わる。クライアントデータがマッピングされた伝送フレームは、再びＬａｎｅ分配され、その後伝送レートに応じた変調方式のシンボルにマッピングされ、光信号として受信側の機器へ伝送される。
【００１３】
上述したように２つの異なるクライアント機器から入力されたクライアント信号を多重する場合、これらのクライアント信号同士のクロックまたはクライアント信号を収容したフレームが必ずしも等しいとは限らない。したがって、多重する信号同士のクロックが等しくなるように（クロック偏差を吸収するように）調整する（クックを載せ替える）ことで２つのフレームを同等に扱えるようにした後に多重化処理を行うことが望ましい。多重する信号同士のクロックを調整する方法としては、多重する信号に共通のオーバーヘッド（新規オーバーヘッド）を付加することで、新規フレームにカプセル化する方法が考え得る。新規オーバーヘッドには、新規フレームを識別するための信号（フレーム同期用の固定パタン信号（例えば、フレーム・アライメント信号（ＦＡＳ）やマルチフレーム・アラインメント信号（ＭＦＡＳ））を格納する領域、クロック調整用の信号（例えば、負スタッフ（ＮＪＯ）、ジャスティフィケーション制御（ＪＣ））を格納する領域、エラー検出用の信号（例えば、ＢＩＰ８）を格納する領域などを含めることができる。
【００１４】
新規フレームにカプセルされた２つフレームを多重化して伝送する場合も、伝送レートに応じた変調方式のシンボルにマッピングする前に、Ｌａｎｅ分配する。したがって、効率的にＬａｎｅ分配することで、効率的にフレームを多重する方法が望まれる。
【００１５】
本発明は、このような問題に鑑みてなされたもので、その目的とするところは、クライアント信号がマッピングされた複数のフレームを効率的に多重するフレーム多重方法を提供することにある。
【課題を解決するための手段】
【００１６】
このような目的を達成するために、本発明の第１の態様は、フレーム多重方法である。本フレーム多重方法は、マルチフレーム周期の第１のフレームの列と第２のフレームの列とを多重する方法である。第１のフレームは当該第１のフレームの先頭を示す第１の同期パタンを含み、第２のフレームは当該第２のフレームの先頭を示す第２の同期パタンを含む。第１の同期パタンおよび第２の同期パタンは共通の固定パタンである。フレーム多重方法は、第２の同期パタン内の配列を入れ替えるステップと、第１のフレームの列のマルチフレーム周期と第２のフレームの列のマルチフレーム周期とを非同期で、第１のフレームおよび第２のフレームを所定バイト単位にＬａｎｅ分配するステップと含む。
【００１７】
一実施形態では、本フレーム多重方法におけるＬａｎｅ分配するステップは、第１のフレームの先頭を基準として、第１のフレームを所定バイト単位にＬａｎｅ分配することと、同じく第１のフレームの先頭を基準として、第２のフレームを前記所定バイト単位にＬａｎｅ分配することとを含む。
【００１８】
一実施形態では、第１のフレームおよび第２のフレームは、ＯＴＵ４フレームがマッピングされたフレームとすることができる。また、第１の同期パタンおよび第２の同期パタンは、ＯＴＵ４フレームにおけるフレーム・アライメント信号（ＦＡＳ）パタンと同一のパタンとすることができる。
【発明の効果】
【００１９】
以上説明したように、本発明によれば、クライアント信号がマッピングされた複数のフレームを効率的に多重するフレーム多重方法の提供が可能となる。
【図面の簡単な説明】
【００２０】
【図１】本発明の一実施形態に係るフレーム多重方法を実装可能な光伝送システム集積回路を用いた光伝送システムを示す構成例を示す図である。
【図２】複数のフレームのレーン化を説明する図である。
【図３】本発明の一実施形態に係るフレーム多重方法を説明するための図である。
【図４】複数サブキャリアを用いてクライアントデータを伝送する光伝送システム集積回路の概略構成図である。
【発明を実施するための形態】
【００２１】
以下、図面を参照しながら本発明の実施形態について詳細に説明する。図面において同一または類似する符号は、同一または類似する要素を示す。したがって、同一または類似する要素についての繰り返しの説明は省略する。以下の説明では、送信側のクライアント機器から入力されたクライアント信号を受信側のクライアント機器へ伝送する光伝送システムにおいて、クライアント信号が収容された１００ＧｂｐｓのＯＤＵ４／ＯＴＵ４フレームをコヒーレント通信方式で伝送するか、あるいはクライアント信号が収容された２つの１００ＧｂｐｓのＯＤＵ４／ＯＴＵ４フレームの各々を新規フレームに再マッピングしてクロック偏差を吸収した後に多重した２００Ｇｂｐｓ信号（本明細書において「送信信号」ともいう。）をコヒーレント通信方式で伝送する例を説明する。しかしながら、本願発明は、このような具体的な数値例に限定されるものではなく、一般性を失うことは他の数値においても実施することもできることは言うまでもない。
【００２２】
はじめに、図１を参照して、本発明の一実施形態に係るフレーム再マッピング方法を実装可能な光伝送システム集積回路（ＬＳＩ）の例を説明する。図１の光伝送システムＬＳＩ１００は、送信側と受信側に１００Ｇｂｐｓ高速Ｉ／Ｆをそれぞれ２つずつ備える。光伝送システムＬＳＩ１００は、これらの１００Ｇｂｐｓ高速ＩＦ１２−１，１２−２を介して、１つまたは２つの１００Ｇｂｐｓのクライアント信号を入力することができる。クライアント信号毎にＬａｎｅ分配されて１００Ｇｂｐｓ高速ＩＦへ入力され、Ｌａｎｅ間のスキューの調整が行われて、フレーム化部（不図示）において伝送フレームにマッピングされる。例えば、入力されたクライアント信号はそれぞれ、１００Ｇｂｐｓの伝送フレーム（ＯＴＵ４フレーム）にマッピングされる。
【００２３】
光伝送システムＬＳＩ１００には、１００Ｇｂｐｓの変調方式（ＱＰＳＫ）のシンボルに、送信信号の所定数のビットをマッピングする（割り当てる）シンボルを決定する１００Ｇ用シンボルマッピング回路１４が備えられている。１００Ｇ用シンボルマッピング回路１４は、各偏波に２ビットを割り当てる。１００Ｇ用シンボルマッピング回路１４は、ＯＴＵ４フレームのデータを２ビットずつ各偏波の１つのシンボルに割り当てる。１００Ｇ用シンボルマッピング回路１４は、決定したシンボルに相当する振幅と位相（角度）を出力する。１００Ｇ用シンボルマッピング回路１４のシンボルレートは、２５Ｇｓｐｓ（シンボル／秒）である。
【００２４】
光伝送システムＬＳＩ１００は、２つ１００Ｇｂｐｓ高速ＩＦ（１２−１，１２−２）からそれぞれ入力された２つの１００Ｇｂｐｓのクライアント信号（２つのＯＴＵ４フレーム）を多重して２００Ｇｂｐｓの送信信号を生成する２００Ｇ多重部１３０を備える。２００Ｇ多重部１３０は、多重処理の際に、２つのＯＴＵ４フレーム（オリジナルフレーム）をそれぞれ新たな１００Ｇのフレーム（新規フレーム）に再マッピングする。上述したように、多重する２つのＯＴＵ４フレーム（オリジナルフレーム）のクロックが等しくなるように（クロック偏差を吸収するように）、共通のオーバーヘッド（新規オーバーヘッド）を付加することで、新規フレームにカプセル化して、２つのフレームを同等に扱えるようにする。その後に多重化処理を行う。新規フレームの新規オーバーヘッドには、新規フレームを識別するための信号（フレーム同期用の固定パタン信号（例えば、フレーム・アライメント信号（ＦＡＳ）やマルチフレーム・アラインメント信号（ＭＦＡＳ）））を格納する領域、クロック調整用の信号（例えば、負スタッフ（ＮＪＯ）、ジャスティフィケーション制御（ＪＣ））を格納する領域、エラー検出用の信号（例えば、ＢＩＰ８）を格納する領域などが含めることができる。
【００２５】
２００Ｇ多重部１３０は、新規オーバーヘッドを参照して、２つ１００Ｇｂｐｓの新規フレームのタイミング調整を行い、Ｌａｎｅ分配して多重する。２００Ｇ多重部１３０に実装される、新規フレームを多重する方法（すなわち、フレーム多重方法）については、後述する。
【００２６】
光伝送システムＬＳＩ１００には、２００Ｇｂｐｓの変調方式（１６ＱＡＭ）のシンボルに、送信信号（Ｌａｎｅ化された２００Ｇｂｐｓの送信信号）の所定数のビットをマッピングする（割り当てる）シンボルを決定する２００Ｇ用シンボルマッピング回路１３２が備えられている。２００Ｇ用シンボルマッピング回路１３２は、各偏波に４ビットを割り当てる。２００Ｇ用シンボルマッピング回路１３２は、新規フレームのデータを４ビットずつ各偏波の１つのシンボルに割り当てる。２００Ｇ用シンボルマッピング回路１３２は、決定したシンボルに相当する振幅と位相（角度）を出力する。２００Ｇ用シンボルマッピング回路１３２のシンボルレートは、２５Ｇｓｐｓである。
【００２７】
光伝送システムＬＳＩ１００は、シンボルマッピング部（１４，１３２）からの出力の１つを選択してデジタルコヒーレント信号処理部１４４へ入力するセレクタ１３４を備える。
【００２８】
デジタルコヒーレント信号処理部１４４は、セレクタ１３４により選択されたシンボルマッピング部に対応する変調方式にしたがって変調信号（例えば、振幅と位相）に対してデジタルコヒーレント信号処理を実行し出力する。デジタルコヒーレント信号処理部１４４からの変調信号は、光変調器／光源１５０（不図示）へ供給される。
【００２９】
他方、光伝送システム集積回路（ＬＳＩ）１００は、受信側に、受光器１８０（不図示）からの信号に基づいて、クロック抽出、位相推定、及びシンボル識別などのデジタル信号処理を行い、識別されたシンボルを出力するデジタルコヒーレント信号処理部１５４を備える。識別されたシンボルは、セレクタ１７４を介して、送信側のセレクタ１３４により選択されたシンボルマッピング部に対応するデマッピング部（１００Ｇ用シンボルデマッピング部２４または２００Ｇ用シンボルデマッピング部１７２）へ供給される。デジタルコヒーレント信号処理部１５４は、信号品質監視機能を有していても良い。光伝送システム集積回路（ＬＳＩ）は、信号品質に基づいて、１００Ｇｂｐｓの光伝送とするか、または２００Ｇｂｐｓの光伝送とするかの決定をしても良い。
【００３０】
１００Ｇ用シンボルデマッピング部２４は、デジタルコヒーレント信号処理部１５４からのシンボルをデマッピングしてビット値を出力する（シンボルに割り当てられたビット値（１偏波当たり２ビットで、合計４ビット）を決定して出力する）。１００Ｇ用シンボルデマッピング部２４の出力は、対向する光伝送システムＬＳＩの送信側における送信信号（すなわち、１００ＧｂｐｓのクライアントがマッピングされたＯＴＵ４フレーム）である。
【００３１】
２００Ｇ用シンボルデマッピング部１７２は、デジタルコヒーレント信号処理部１５４からのシンボルをデマッピングしてビット値を出力する（シンボルに割り当てられたビット値（１偏波当たり４ビットで、合計８ビット）を決定して出力する）。２００Ｇ用シンボルデマッピング部１７２の出力は、対向する光伝送システムＬＳＩの送信側における２００Ｇｂｐｓの送信信号（２つのＯＴＵ４フレーム（オリジナルフレーム）がそれぞれ再マッピングされた２つの新規フレームを多重した信号）である。２００Ｇ用シンボルデマッピング部１７２からの出力は、２００Ｇ分離部１７０で、２つの新規フレームに分離される。さらに、各新規フレームから、オリジナルフレーム（ＯＴＵ４）が再生される。
【００３２】
デフレーム化部（不図示）で、１００Ｇ用シンボルデマッピング部２４または２００Ｇ分離部１７０からの１００Ｇｂｐｓの信号（ＯＴＵ４フレーム）からクライアント信号が抽出され、１００Ｇｂｐｓ高速ＩＦ（２２−１，２２−２）から出力される。
【００３３】
例えば、光ファイバ伝送路における伝送特性が良好であり、１６ＱＡＭなどの変調方式において所定の品質が確保できる場合にのみ、光伝送システムＬＳＩの複数の１００Ｇｂｐｓ高速Ｉ／Ｆを介して、複数の１００Ｇｂｐｓのクライアント信号を入出力するようにでき、光伝送システムＬＳＩの汎用性を高めることができる。
【００３４】
次に、図２および３を参照して、２００Ｇ多重部１３０において新規フレームを多重する方法を説明する。図２は、２つ１００Ｇｂｐｓの新規フレームのタイミング調整を行いＬａｎｅ分配して多重する様子を示す図である。図２（ａ）は、１００Ｇｂｐｓ高速ＩＦ１２−１，１２−２から入力され、ＯＴＵ４フレーム（オリジナルフレーム）にマッピングされた後に、新たな１００Ｇのフレーム（新規フレーム）に再マッピングされた２つのフレーム列を示す図であり、（ｂ）は２つのフレーム列をＬａｎｅ分配して多重された送信信号を示すである。新規フレームは、ＯＴＵ４フレームをトランスペアレントにカプセル化することができるように、ＯＴＵ４フレームがマッピングされていることが望ましい。例えば、新規フレームのクロック周波数が上昇しないように、ＯＴＵ４フレームを構成する情報要素の内、固定パタンなど受信側で再生可能な情報要素を削除して、ＯＴＵ４フレームを新規フレームにマッピングすることが好ましい。
【００３５】
図２（ａ）において、２つのフレーム列（２つの新規フレームの列）は、Ａ系フレームからなる列およびＢ系フレームからなる列として示されている。図２（ａ）において、Ａ系フレームの各々には、オリジナルフレームを新規フレームに再マッピングした際に付加した新規オーバーヘッド内の新規フレームを識別するための信号を格納する領域ＭＡ＿ｉ（ｉ＝０，１，２，３）が示されている。同様に、Ｂ系フレームの各々には、領域ＭＢ＿ｉが示されている。新規フレームを識別するための信号は、フレーム同期用の固定パタン信号（例えば、フレーム・アライメント信号（ＦＡＳ）、いわゆる‘Ｆ６’，‘２８’パタン）およびマルチフレーム・アラインメント信号（ＭＦＡＳ）である。簡単のため、図２（ａ）において、Ａ系およびＢ系フレームは、４フレームを１周期とするマルチフレーム構成として示している。Ａ系フレームとＢ系フレームとの間は、２フレーム分のタイミング差がある。
【００３６】
２００Ｇ多重部１３０は、タイミング差調整用バッファを有し、Ａ系フレームとＢ系フレームとの間のタイミング差を調整するために、Ｂ系フレームをバッファリングする。２００Ｇ多重部１３０は、Ａ系フレームとＢ系フレームのマルチフレーム周期を同期してＡ系フレームとＢ系フレームをＬａｎｅ分配するように、２フレーム分バッファリングされたＢ系フレームを、バッファから読み出す。
【００３７】
図２（ｂ）は、マルチフレーム周期が互いに同期したＡ系フレームおよびＢ系フレームからそれぞれ所定バイト（Ｎバイト）毎に、Ｌａｎｅ０〜４に順次分配して、Ａ系フレームおよびＢ系フレームを多重した送信信号を示す。Ａ系フレームおよびＢ系フレームの新規フレームを識別するための信号を格納する領域ＭＡ＿ｉおよびＭＢ＿ｉは、Ｌａｎｅ＿ｉにマッピングされるように、ローテーションされている。これにより、各レーンに均等に、新規フレームを識別するための信号を格納する領域が分配されている。領域ＭＡおよび領域ＭＢにそれぞれ続く各所定バイトは、順次Ｌａｎｅ＿ｉ＋１、Ｌａｎｅ＿ｉ＋２，Ｌａｎｅ＿ｉ＋３，Ｌａｎｅ＿ｉにマッピングされるが、受信側に既知の規則であればこれに限定されない。これにより、受信側では、レーン毎に領域ＭＡに基づいてＡ系フレームの位置を識別し、および領域ＭＢに基づいてＢ系フレームの位置を識別することが可能となる。
【００３８】
Ａ系フレームおよびＢ系フレームをＬａｎｅ分配する際の所定バイト（Ｎバイト）は、例えば、Ｎ＝４，８，１６などから選択することができるが、これに限定されるものではない。
【００３９】
一例として、Ｎ＝８と仮定して、Ａ系フレームおよびＢ系フレームをＬａｎｅ分配する例を説明する。Ａ系フレームのフレームデータを先頭から８バイト毎に、Ａ１，Ａ２，Ａ３，Ａ４，・・・と表し、Ｂ系フレームのフレームデータを先頭から８バイト毎に、Ｂ１，Ｂ２，Ｂ３，Ｂ４，・・・と表す。Ａ１は、Ａ系フレームの同期パタンＭＡを含み、Ｂ１は、Ｂ系フレームの同期パタンＭＢを含む。
【００４０】
Ａ系フレームのフレームデータおよびＢ系フレームのフレームデータをそれぞれ８バイト（Ｎ＝８）毎にＬａｎｅ分配し、Ｌａｎｅ毎にＡ系フレームのフレームデータおよびＢ系フレームのフレームデータがそれぞれ１６バイトずつ順次分配されるように、分配先のＬａｎｅをローテーションすると、Ｌａｎｅ分配は以下のようになる。
（Ｌａｎｅ分配の一例）
Ｌａｎｅ０：Ａ１，Ｂ１，Ａ２，Ｂ２，Ａ９，Ｂ９，Ａ１０，Ｂ１０，・・・
Ｌａｎｅ１：Ａ３，Ｂ３，Ａ４，Ｂ４，Ａ１１，Ｂ１１，Ａ１２，Ｂ１２，・・・
Ｌａｎｅ２：Ａ５，Ｂ５，Ａ６，Ｂ６，Ａ１３，Ｂ１３，Ａ１４，Ｂ１４，・・・
Ｌａｎｅ３：Ａ７，Ｂ７，Ａ８，Ｂ８，Ａ１５，Ｂ１５，Ａ１６，Ｂ１６，・・・
Ｎは、ＬＳＩにおける誤り訂正などを考慮して任意に設定することができる。ただし、Ｎを同期パタンのバイト数よりも小さく設定すると、同期パタンが分割されて検出時間が長大化する。一方、Ｎを大きくすると、Ｌａｎｅ化に伴うバッファが大きくなる。
【００４１】
図２を参照して説明したフレーム多重方法では、受信側にマルチフレーム周期に応じた長さ（容量）のバッファが必要になる。また、受信側では、Ａ系フレームおよびＢ系フレームの位置を識別するための回路を独立して２つ配置することでＡ系フレームおよびＢ系フレームの位置を独立して識別することができる。したがって、図２を参照して説明したフレーム多重方法を実装するためには、光伝送システムＬＳＩの回路規模が大きくなる。
【００４２】
図３は、本実施形態のフレーム多重方法、すなわち２つ１００Ｇｂｐｓの新規フレームのタイミング調整を行わずにＬａｎｅ分配して多重する様子を示す図である。図３（ａ）は、図２（ａ）と同じ、Ａ系フレームからなる列およびＢ系フレームからなる列として示している。図３（ｂ）に示すように、本実施形態のフレーム多重方法は、タイミング調整を行わずに、すなわち、Ａ系フレームとＢ系フレームのマルチフレーム周期がずれた状態でＬａｎｅ化する。マルチフレーム周期が互いに同期していないＡ系フレームおよびＢ系フレームからそれぞれ所定バイト（Ｎバイト、Ｎは整数）毎に、Ｌａｎｅ０〜４に順次マッピングしてＬａｎｅ化することで、多重した状態を示す。Ａ系フレームおよびＢ系フレームの新規フレームを識別するための信号を格納する領域ＭＡ＿ｉおよびＭＢ＿ｊ（j＝０〜４）は、Ｌａｎｅ＿ｉにマッピングされるように、ローテーションされている。領域ＭＡおよび領域ＭＢにそれぞれ続く所定バイトは、図２を参照して説明した規則と同様の規則で順次Ｌａｎｅにマッピングされる。
【００４３】
また、図３（ｂ）に示すように、本実施形態のフレーム多重方法では、領域ＭＡ＿ｉとともにＬａｎｅ＿ｉに分配される領域ＭＢ＿ｊについては、受信側において領域ＭＢ内の同期パタンであるＦＡＳを検出しないように、分配前に同期パタンを既知の方法で別のパタンに置換している。例えば、領域ＭＢ＿ｊ内のＦＡＳパタンに含まれる‘Ｆ６’と‘２８’の位置を入れ替えた信号に置換することができる。これにより、受信側では、レーン毎に領域ＭＡに基づいてＡ系フレームおよびＢ系フレームの位置を識別することが可能となる。
【００４４】
上記したＮ＝８毎にＬａｎｅ分配する例では、Ａ系フレームの同期パタンＭＡ（Ａ１）およびＢ系フレームの同期パタンＭＢ（Ｂ１）は分割されず、同期パタンの検出時間の長大化を回避できる。
【００４５】
図３を参照して説明したフレーム多重方法では、受信側にマルチフレーム周期に応じた長さ（容量）のバッファが不要になる。また、受信側では、Ａ系フレームの位置を識別するための回路を１つ配置しこれを共有することでＡ系フレームおよびＢ系フレームの位置を識別することができる。したがって、図３を参照して説明したフレーム多重方法を実装するためには、光伝送システムＬＳＩの回路規模は、図２を参照して説明したフレーム多重方法を実装する光伝送システムＬＳＩの回路規模に比べて、小さくすることができる。
【符号の説明】
【００４６】
１０  光伝送システム集積回路（ＬＳＩ）
１２  １００Ｇｂｐｓ高速インターフェース（Ｉ／Ｆ）
１４  １００Ｇ用シンボルマッピング部
１６  デジタルコヒーレント処理部
２２  １００Ｇｂｐｓ高速インターフェース（Ｉ／Ｆ）
２４  １００Ｇ用シンボルデマッピング部
２６  デジタルコヒーレント処理部
１００  光伝送システム集積回路（ＬＳＩ）
１３０  ２００Ｇ多重部
１３２  ２００Ｇ用シンボルマッピング部
１３４  セレクタ（ＳＥＬ）
１４４  デジタルコヒーレント信号処理部
１５０  光変調器／光源
１５４  デジタルコヒーレント信号処理部
１７０  ２００Ｇ分離部
１７２  ２００Ｇシンボルデマッピング部
１７４  セレクタ（ＳＥＬ）
１８０  受光器
【要約】
【課題】複数のフレームを効率的に多重するフレーム多重方法を提供する。
【解決手段】同期パタンＭＡを含む第１のフレームと、同期パタンＭＡと同一のパタンである同期パタンＭＢを含む第２のフレームと多重する際に、同期パタンＭＢ内の配列を入れ替えて同期パタンとして認識されないようにし、第１のフレームの列のマルチフレーム周期と第２のフレームの列のマルチフレーム周期とを非同期で、第１のフレームの先頭を基準として、第１のフレームを所定バイト単位にＬａｎｅ分配し、同じく第１のフレームの先頭を基準として、第２のフレームを前記所定バイト単位にＬａｎｅ分配する。
【選択図】図３【図１】
0005856662.tif 000002
【図２】
0005856662.tif 000003
【図３】
0005856662.tif 000004
【図４】
0005856662.tif 000005